(57)【特許請求の範囲】
【請求項１】
基端に使用者の陰茎を通すサイズの開口を有し、排尿された尿を収納する容量を有する細長い集尿袋（１２）と、
該集尿袋の開口の周縁から半径方向外側に広がるように該周縁に取り付けられる平たい開口リング（２４）と、
該開口リング（２４）に隣接して該集尿袋の周りに装着可能とされるスポンジ材からなるシール部材（１４）と、
筒状の固定リング（１６）であって、筒状部分を備え、該筒状部分（１６ａ）が、陰茎を受け入れている集尿袋（１２）の周りに装着されたシール部材（１４）の周りに嵌合されて該シール部材を集尿袋（１２）に押圧するようなサイズとされた固定リング（１６）と、
を有し、
該集尿袋（１２）は、該固定リング（１６）の遠位端に該筒状部分（１６ａ）と同軸状に形成された袋延出口（１６ｉ）を通して遠位方向に延出するように設定されるようになされている
男性用集尿具。
【請求項２】
該固定リング（１６）が筒状部分（１６ａ）の前方端縁から半径内側方向に延びる環状部分（１６ｂ）を有し、該環状部分が内側環状面（１６ｇ）と、外側環状面（１６ｈ）と、内側環状面（１６ｇ）から外側環状面（１６ｈ）に貫通する該袋延出口（１６ｉ）とを有する請求項１に記載の男性用集尿袋。
【請求項３】
該集尿袋（１２）が、その内側面に、該集尿袋（１２）の陰茎を受け入れる当該集尿袋（１２）の基端から、該集尿袋（１２）の先端に向けて延び、当該集尿袋（１２）の内側面が相互に付着しているような状態でも排尿される尿を該集尿袋（１２）の先端に向けて案内する細長い紐状の尿ガイド（２８）を有する請求項１又は２に記載の男性用集尿具。
【請求項４】
該開口リング（２４）が、実質的に同じ内径及び外径の平たい第１及び第２リングエレメント（２４−１，２４−２）であって、該集尿袋（１２）の基端側から先端側に向けて順に同軸状にして重ねられる第１及び第２リングエレメント（２４−１，２４−２）を有する請求項１乃至３のいずれか一項に記載の男性用集尿具。
【請求項５】
該固定リング（１６）の筒状部分（１６ａ）の後方端縁から半径外側方向に延び、当該男性用集尿具を使用者に取り付けるのに使用される装着用フランジ部（１６ｄ，１６−３ｂ’）を有する請求項１乃至４のいずれか一項に記載の男性用集尿具。
【請求項６】
使用者に装着される集尿具装着部材（４０）を更に有し、該集尿具装着部材（４０）が、使用者の陰茎部分を覆うようにして使用者の下腹部に当接される内側面と、その反対側の外側面とを有する袋支持部（４２）を有し、袋支持部（４２）が、使用者の陰茎に対応する部分に袋支持開口（３８）を有し、
該固定リング（１６）の筒状部分（１６ａ）が、その装着用フランジ部（１６ｄ，１６−３ｂ’）が当該袋支持部（４２）の内側面に当接し、該筒状部分（１６ａ）が該袋支持開口（３８）を通して外側に延出するようにされている請求項５に記載の男性用集尿具。
【発明の詳細な説明】
【技術分野】
【０００１】
本発明は、高齢者などで、自分で自由に排尿処理ができなくなった人のための排尿処理具に係り、特に男性用の集尿具に関する。
【背景技術】
【０００２】
排尿処理具として一般的なのはオムツであるが、使用感の悪さ、使用部位のかぶれ、取替え処理の煩雑さ、コスト高など種々の問題があり、これに代わる集尿具が種々開発されてきている。
【０００３】
男性用の集尿具としては、男性の陰茎にゴム状のサックを被せ、その先端にホースをつなぎ、ホース先端に用意された尿瓶に尿を集めるようにしたものがある（例えば、特許文献１乃至３）。また、陰茎に装着した集尿袋を太ももに取り付けて、外出時でも使用できるようにした集尿具も開発されている（例えば特許文献４）。また、集尿具を陰茎に装着するために種々の工夫がなされている（例えば特許文献５）。
【先行技術文献】
【特許文献】
【０００４】
【特許文献１】特開平１０−１９２３４７号
【特許文献２】実開昭５９−４６５１９号
【特許文献３】実開昭６０−１０９６１７号
【特許文献４】登録実用新案第３０２５０１９号
【特許文献５】英国特許２１９１０９５Ａ
【発明の概要】
【発明が解決しようとする課題】
【０００５】
本発明は、男性用集尿具であって、これまでのものに比べて、取付け・取外しが容易で、しかも確実に装着することができ、外出時にも装着使用できる集尿具を提供することを目的としている。
【課題を解決するための手段】
【０００６】
すなわち、本発明は、
基端に使用者の陰茎を通すサイズの開口を有し、排尿された尿を収納する容量を有する細長い集尿袋（１２）と、
該集尿袋の開口の周縁から半径方向外側に広がるように該周縁に取り付けられる平たい開口リング（２４）と、
該開口リング（２４）に隣接して該集尿袋の周りに装着可能とされるスポンジ材からなるシール部材（１４）と、
筒状の固定リング（１６）であって、筒状部分を備え、該筒状部分（１６ａ）が、陰茎を受け入れている集尿袋（１２）の周りに装着されたシール部材（１４）の周りに嵌合されて該シール部材を集尿袋（１２）に押圧するようなサイズとされた固定リング（１６）と、
を有し、
該集尿袋（１２）は、該固定リング（１６）の遠位端に該筒状部分（１６ａ）と同軸状に形成された袋延出口（１６ｉ）を通して遠位方向に延出するように設定されるようになされている
男性用集尿具を提供する。
【０００７】
この男性用集尿具においては、該固定リング（１６）が筒状部分（１６ａ）の前方端縁から半径内側方向に延びる環状部分（１６ｂ）を有し、該環状部分が内側環状面（１６ｇ）と、外側環状面（１６ｈ）と、内側環状面（１６ｇ）から外側環状面（１６ｈ）に貫通する該袋延出口（１６ｉ）とを有するようにすることができる。
【０００８】
更に、該集尿袋（１２）が、その内側面に、該集尿袋（１２）の陰茎を受け入れる当該集尿袋（１２）の基端から、該集尿袋（１２）の先端に向けて延び、当該集尿袋（１２）の内側面が相互に付着しているような状態でも排尿される尿を該集尿袋（１２）の先端に向けて案内する細長い紐状の尿ガイド（２８）を有するようにすることができる。
【０００９】
また、該開口リング（２４）が、実質的に同じ内径及び外径の平たい第１及び第２リングエレメント（２４−１，２４−２）であって、該集尿袋（１２）の基端側から先端側に向けて順に同軸状にして重ねられる第１及び第２リングエレメント（２４−１，２４−２）を有するようにすることができる。
【００１０】
上記固定リング（１６）の筒状部分（１６ａ）の後方端縁から半径外側方向に延び、当該男性用集尿具を使用者に取り付けるのに使用される装着用フランジ部（１６ｄ，１６−３ｂ’）を有するようにすることができる。
【００１１】
この場合、当該男性用集尿具が更に使用者に装着される集尿具装着部材（４０）を有し、該集尿具装着部材（４０）が、使用者の陰茎部分を覆うようにして使用者の下腹部に当接される内側面と、その反対側の外側面とを有する袋支持部（４２）を有し、袋支持部（４２）が、使用者の陰茎に対応する部分に袋支持開口（３８）を有し、
該固定リング（１６）の筒状部分（１６ａ）が、その装着用フランジ部（１６ｄ，１６−３ｂ’）が当該袋支持部（４２）の内側面に当接し、該筒状部分（１６ａ）が該袋支持開口（３８）を通して外側に延出するようにすることができる。
【００１２】
以下、本発明にかかる男性用集尿具の実施形態を添付図面に基づき説明する。
【図面の簡単な説明】
【００１３】
【図１】本発明に係る男性用集尿具を構成する集尿袋を陰茎に装着した状態を示す。
【図２】図１の集尿袋に、同男性用集尿具を構成するシール部材を装着した状態を示す。
【図３】図２のシール部材に、同男性用集尿具を構成する固定リングを装着する状態を示す。
【図４】集尿具の装着が完了した状態を示す。
【図５】本発明に係る男性用集尿具を装着した男性を正面から見た図である。
【図６】固定リングの裏面図である。
【図７】図６の固定リングの断面側面図である。
【図８】他の実施形態に係る固定リングの正面図である。
【図９】図８の固定リングの断面側面図である。
【図１０】図９の固定リングで用いられている開口リングの斜視図である。
【図１１】更に他の実施形態に係る固定リングの断面側面図である。
【図１２】更に別の実施形態に係る集尿袋の断面側面図である。
【図１３】集尿具装着部材を使用者に装着した状態を示す図である。
【図１４】図３の集尿具装着部材の正面図である。
【図１５】図１４の集尿具装着部材を用いて本発明に係る男性用集尿具を装着した状態を示す図である。
【図１６】図９の固定リングにおける集尿袋の別の取り付け態様を示す断面側面図である。
【発明を実施するための形態】
【００１４】
本発明に係る男性用集尿具１０の第１の実施形態を、その装着手順を示した図１乃至図６に基づき説明する。この男性用集尿具１０（図４）は、基端に開口１２ａを有し、先端１２ｂが閉じており、開口１２を通して男性の陰茎Ｐを該基端内に挿入するようにした、ポリエチレンシートなどで作られる集尿袋１２（図１）と、陰茎Ｐの周りで集尿袋１２の周りにリング状に装着されるスポンジ材（多孔質軟質材）からなるシール部材１４（図２）と、シール部材１４の周りに装着されて、該シール部材を半径方向内側に押圧して集尿袋１２を陰茎Ｐ周囲に密着固定させる固定リング１６（図３、図４）と、該固定リング１６に取り付けられ、陰茎Ｐよりも上方の身体部位に固定され、固定リングを該身体部位から支持するための集尿具装着部材２０（図５）とを有する。
【００１５】
集尿袋１２は、具体的には、図１に示すように、一端に開口１２ｃを有し、他端が閉じられている細長い袋エレメント１２ｄからなり、該袋エレメント１２の一端を内側に折り返して構成されている。この内側への折り返しは、袋内に収納した尿が漏れ出にくくするためである。図５に示すように、集尿袋１２は、使用者の一方の脚Lに沿って設定されるようになっている。
【００１６】
集尿袋１２を使用者の一方の脚に沿って設定するには、例えば、集尿袋１２の外表面と、使用者のズボンの一方の脚の内側とに、（株）クラレから「マジックテープ（登録商標）」として販売されているような面ファスナーを設け、ズボンの一方の脚の内側に延ばした集尿袋１２の面ファスナーとズボン内側の面ファスナーとを接着することにより、当該集尿袋を同ズボン内面に支持することが可能である。別の例としては、ズボンの内面に集尿袋を収納する袋を取り付けたり、または、集尿袋の外周面に細長いストラップを取り付けて、それを使用者の脚に巻いて固定するようにしたりすることができる。
【００１７】
シール部材１４は、陰茎Ｐの周りにリング状にしてその一端が使用者の腹部面Ｂに当接するように設定される。シール部材１４は、具体的には、スポンジ材を図２に示すようなリング状に成形したものとすることができる。スポンジ材は、使用者の腹部面Ｂ及び陰茎Ｐに対して柔らかく当たり、また、それらとの当接面に空気が介在するようになるので、皮膚のかぶれ等を起こしにくく優れた材料である。シール部材１４は分割リングとして、陰茎のサイズに合わせて巻き付けることができるようにするのが好ましい。
【００１８】
固定リング１６は、プラスチック材などで作ることができ、陰茎Ｐにリング状に装着したシール部材１４の周りに設定される筒状部分１６ａ（図４、図６、図７）と、該筒状部分１６ａの陰茎Ｐを基準にして陰茎先端側端部に半径方向内側に延びるように設けられた環状部分１６ｂ(図７)と、筒状部分１６ａの軸線方向両端縁に沿って半径方向外側に延びるように設けられた環状のフランジ部１６ｃ、１６ｄとを有している。環状部分１６ｂは、内側環状面１６ｇ、外側環状面１６ｈ及び内側環状面から外側環状面に貫通する袋延出口１６ｉとを有している。フランジ部１６ｃ、１６ｄは、集尿具装着部材２０を取り付けるための溝１６ｅを形成している。
【００１９】
固定リング１６は、その軸線方向長さｘが、リング状とされたシール部材１４の軸線方向長さｙの略半分とされており、シール部材１４の陰茎先端側から筒状部分１６ａを被せるようにして装着し、シール部材１４の腹部側の略半分は筒状部分１６ａから外側に出て、使用者の腹部面Ｂに当接するような状態とすることが好ましい。
【００２０】
図５には集尿具装着部材２０の一例が示されている。この集尿具装着部材２０は、細長い布状部材から作ることができ、固定リング１６のフランジ部１６ｃ、１６ｄ間の溝１６ｅに嵌合される環状部分２０ａと、該環状部分２０ａから使用者の下腹部に沿って上方に延びる紐状部材からなる吊下げ部分２０ｂと、使用者の胴部周りに装着され吊下げ部分２０ｂが接続されて、該吊下げ部分２０ｂを介して固定リング１６を支持する帯部分２０ｃとから構成されている。
【００２１】
図８及び図９は、他の実施形態に係る固定リング１６−２を示している。すなわち、この固定リング１６−２は、上述の固定リング１６と略同じ構成とされているが、固定リング１６におけるフランジ部１６ｃ、１６ｄが設けられておらず、筒状部分１６ａの前端縁に左右一対の耳状部１６ｆ、１６ｆが設けられている。この固定リング１６−２では、耳状部１６ｆ、１６ｆに紐Ｓを取り付け、使用者の下腹部両側を上方に延ばして、使用者の腰回りに装着される帯部分Ｆに結びつけるようにする。
【００２２】
図９に示すように、この固定リング１６−２では、集尿袋１２を当該固定リング１６−２に取り付けるのに、図１０に示すような薄い開口リング２４を使用している。すなわち、袋エレメントの開口１２ｃを有する一端をこの開口リング２４の周りに対して被せ、該開口リング２４の外周縁２４ａから内側に折り込んで、該開口リングの内周縁２４ｂから使用者の体から離れる方向に延ばすようにしておき、この開口リング２４を固定リング１６−２内に入れて固定リングの環状部分１６ｂの内側環状面１６ｇと当接するように設定し、その状態で、該固定リングの筒状部分１６ａを陰茎Ｐの周りに装着したシール部材１４の周りに嵌合する。より好ましくは、開口リング２４を袋エレメントに対して上記のような状態にして熱溶着などで固定して、開口リング２４を集尿袋１２の基端開口１２ａを画定する要素とする。このようにすれば、固定リング１６−２に対する集尿袋１２の取付けが簡単で、且つ、集尿袋が固定リング１６−２から抜け出るのを確実に防ぐことができる。この固定具１６−２では、陰茎Ｐに取り付けた場合、陰茎Ｐに接触するのがスポンジ等で作られたシール部材となり、上記実施例のように、集尿袋１２がシール部材の内側を通されて該集尿袋が陰茎に押圧接触する場合に比べて、装着感が良くしかもムレなどが生じるのを防ぐことができる。
【００２３】
図９に示す集尿袋の装着方法は、特に、使用者がベッドから出て、通常の生活をする場合に適しているが、使用者がベッドで寝ている状態で使用する場合には、排尿した尿が、陰茎の根本方向に流れ、スポンジ部材からなるシール部材１４を汚してしまう可能性がある。そのような場合は、図１６に示すように、集尿袋１２を陰茎の根本まで被せ、開口リング２４をシール部材１４の端面に当接するようにして設定することが好ましい。この場合、開口リング２４があるために、当該袋の基端部分を陰茎に被せやすくなる。図１６に示す例では、袋エレメントの開口１２ｃを有する一端をこの開口リング２４の周りに対して被せ、該開口リング２４の外周縁２４ａの外側を通してから内側に折り込んであり、該袋エレメント２４の基端部分を陰茎の周りに装着した後に、シール部材１４を袋エレメントの基端部分を間において陰茎の周りに装着し、その状態で、該固定リングの筒状部分１６ａを該シール部材１４の周りに嵌合するようにしている。使用者の使用状態に応じてこのように装着方法を適宜変えることは、以下に述べる実施形態においても同様である。
【００２４】
図１１には、更に別の実施形態に係る固定リング１６−３を示している。この固定リング１６-３は、図９の固定リング１６-２の変形例であり、第１固定リング又は内側リング１６−３ｂと、該内側リングの外側に嵌合される第２固定リング又は外側リング１６−３ａとからなり、外側リング１６−３ａの環状部分１６−３ｃと内側リング１６−３ｂの環状部分１６−３ｄとの間に、上述した集尿袋１２の開口１２ａに取り付けたリング２４が挟まれて、固定されるようになっている。この固定リング１６−３では、図８及び図９に示した固定リングの耳状部１６ｆと同様の耳状部１６−３ｆが内側リング１６−３ｂの周縁に設けられている。外側リング１６−３ａは、内側リング１６ｂに対して適宜の連結方式、例えば、バヨネット式（すなわち、内側リングに軸線方向で嵌合した後に、内側リングに対して相対的に回動することにより相互連結する方式）で結合されるようにすることが好ましい。
【００２５】
図１２は、更に別の実施形態に係る男性用集尿具の要部が示されている。すなわち、この実施形態では、開口リング２４が、実質的に同じサイズで、同軸状にして相互に重ねられる第１及び第２リングエレメント２４−１，２４−２からなる。集尿袋１２は、その袋エレメントが、当該集尿袋の先端側から基端側（使用者への取付側）へ延びる方向で第２リングエレメント２４−２及び第１リングエレメント２４−１内を通され、第１リングエレメント２４−１に沿って半径方向外側に折り返され、第１リングエレメント２４−１と第２リングエレメント２４−２との間を半径方向内向きに通され、第２リングエレメント２４−２の内側を当該集尿袋の基端側から先端側へ延びる方向で通され、更に、第２リングエレメント２４−２に沿って半径方向外側に折り返されて、第２リングエレメント２４−２及び第１リングエレメント２４−１の外側を通り、第１リングエレメント２４−１に沿って半径方向内側に折り返されて、第１リングエレメント２４−１及び第２リングエレメント２４−２の内側を通って当該集尿袋の先端側に延びるようになされている。
【００２６】
また、袋エレメントの開口縁１２ｅには、細長い線状の尿ガイド２８が接着テープなどの接着部材３０によって、その一端が取り付けられており、集尿袋１２の内面に沿って、その先端に向けて伸びるようにされている。この尿ガイドは、集尿袋１２の開口リング２４が設けられた部分を除く部分が平らにされて、その内面が相互に付着しているような状態で排尿した場合、排尿された尿が付着している内面間に薄い層状に入り、その表面張力によって内面を相互に引き付けるようになり集尿袋が開かず、尿が集尿袋の先端に向けて落ちていかないことが生じるのを防ぐものである。すなわち、陰茎Ｐの先端から排出された尿は、この尿ガイドに沿って案内されて下方に進むと、付着していた袋内面が開くようになり、尿が集尿袋の先端に向けて落下することができるようになる。
【００２７】
図１３乃至図１５は、他の実施形態に係る集尿具装着部材４０を示す。この集尿具装着部材４０は、布状の部材でつくられ、下腹部中央に当てられて陰茎Ｐに対応する部分に袋支持開口３８を有する、ほぼ逆三角形の袋支持部４２と、該袋支持部４２の上縁両側から延びて、使用に当たっては、使用者の胴部の周りに、それぞれ左右から回されて袋支持部４２の上に付着固定される帯部４４、４６と、袋支持部４２の下端両側から左右に延びて、使用に当たっては、使用者の股下を通され、それぞれ左右の臀部下部（又は左右の脚部の上端部分）の周りを通されて袋支持部４２まで延ばされ、袋支持開口３８の上で該袋支持部４２に付着固定される補助帯部４８、５０を有する。帯部４４，４６及び補助帯部４８，５０の袋支持部４２に対する付着固定は、面ファスナーなどを使用して行う。
【００２８】
図１５は、この集尿装着部材４０を用いて、図１１に示したと同様に外側及び内側リング１６−３ａ、１６−３ｂからなる固定リングを備える集尿袋１２を身体に装着した例が示されている。この場合の内側リング１６−３ｂは、図１１に示した実施形態の場合の耳状部１６−３ｆの代わりに、その後端縁に沿って環状の装着用フランジ部１６−３ｂ’を有しており、該装着用フランジ部が袋支持部４２の内側に設定され、内側リング１６−３ｂの筒状部が袋支持開口３８を通して外側に延出するように設定されている。外側リング１６−３ａはその筒状部が、内側リング１６−３ｂの筒状部上に嵌合固定されるようになっており、集尿袋１２は、その基端開口に設けられた開口リング２４が、外側及び内側リング１６−３ａ、１６−３ｂの環状部分１６−３ｃ、１６−３ｄの間に挟着された状態で外側及び内側リング１６−３ａ、１６−３ｂの外側に伸びるようにされている。集尿装着部材４０の袋支持開口３８の周囲には、比較的硬質の樹脂などにより形成した保持用リング５２が取り付けられており、内側リング１６−３ｂの環状の装着用フランジ部１６−３ｂ’が袋支持開口３８を通って外れないようにしている。この男性用集尿具では、外側リングを内側リングに対して取り付け、取り外しすることにより、集尿袋の取付・取り外しをおこなうことができる。
【００２９】
以上、本発明に係る男性用集尿具の実施形態を説明したが、本発明はこれに限定されるものではなく種々の変形が可能である。例えば、集尿具を使用者の身体に支持させるための集尿具装着部材２０は、首から吊り下げるようなものとすることもできる。また、図１５には、外側及び内側リング１６−３ａ、１６−３ｂの２つの固定リングを用いる場合を示したが、内側リング１６−３ａだけとして、その環状部分１６−３ｄの内側に、集尿袋の開口リングを設定するようにすることもできる。
【符号の説明】
【００３０】
男性用集尿具１０；集尿袋１２；開口１２ａ；先端１２ｂ、開口１２ｃ、袋エレメント１２ｄ；開口縁１２ｅ；シール部材１４；固定リング１６、１６−２，１６−３；筒状部分１６ａ；環状部分１６ｂ；フランジ部１６ｃ、１６ｄ；溝１６ｅ；耳状部１６ｆ；外側リング（第２固定リング）１６−３ａ；内側リング（第１固定リング）１６−３ｂ；装着用フランジ部１６−３ｂ’；環状部分１６−３ｃ、１６−３ｄ；耳状部１６−３ｆ；集尿具装着部材２０；環状部分２０ａ；吊下げ部分２０ｂ；帯部分２０ｃ；開口リング２４；第１リングエレメント２４−１；第２リングエレメント２４−２；外周縁２４ａ；内周縁２４ｂ；袋支持開口３８；集尿具装着部材４０；袋支持部４２；帯部４４、４６；補助帯部４８、５０；保持用リング５２；腹部面Ｂ；陰茎Ｐ；紐Ｓ；帯部分Ｆ
【図１】
0005627586.tif 000002
【図２】
0005627586.tif 000003
【図３】
0005627586.tif 000004
【図４】
0005627586.tif 000005
【図５】
0005627586.tif 000006
【図６】
0005627586.tif 000007
【図７】
0005627586.tif 000008
【図８】
0005627586.tif 000009
【図９】
0005627586.tif 000010
【図１０】
0005627586.tif 000011
【図１１】
0005627586.tif 000012
【図１２】
0005627586.tif 000013
【図１３】
0005627586.tif 000014
【図１４】
0005627586.tif 000015
【図１５】
0005627586.tif 000016
【図１６】
0005627586.tif 000017